(57)【要約】【課題】トリガツールを低廉なものとしながらも、ユーザのメールアドレス等の情報の交換の便宜等を図り得る情報管理システム及びプログラムを提供する。【解決手段】本システムによれば、トリガツール３０が接続された携帯電話機２０からトリガツール３０の識別子と、携帯電話機２０のメールアドレス等を含むユーザ情報とが取得される。また、ユーザＢ（第２ユーザ）の情報が取得された場合、ユーザＡ（第１ユーザ）の情報が抽出される。そして、サーバ１０から第１ユーザ情報に含まれるメールアドレスに対応する携帯電話機２０Ａに対し、第２ユーザ情報を含むメールが送信される。また、サーバ１０から第２ユーザ情報に含まれるメールアドレスに対応する携帯電話機２０Ｂに対し、抽出された第１ユーザ情報を含むメールを送信する。【選択図】　図２
2004005154.tif 000002
【特許請求の範囲】
【請求項１】
ネットワークを介したメールの送信及び受信機能を有する携帯電話機の複数のユーザに関する情報を管理するシステムであって、
接続先の携帯電話機に対して該携帯電話機の記憶装置から少なくともメールアドレス、又はメールアドレス及び電話番号を含むユーザ情報を自動的に読み取った上で、固有の識別子とともに該ユーザ情報を外部に自動送信する機能を付与するトリガツールが接続された携帯電話機から、該トリガツールの識別子と、該携帯電話機のユーザ情報とをネットワークを介して取得する情報取得手段と、
情報取得手段により取得された識別子に対応するユーザ情報が未登録の場合、該識別子とともに情報取得手段により取得されたユーザ情報を第１ユーザ情報として登録し、登録済みの場合、該識別子とともに情報取得手段により取得されたユーザ情報を第２ユーザ情報として登録を拒絶する登録手段と、
情報取得手段により第２ユーザ情報が取得された場合、第２ユーザ情報とともに情報取得手段により取得された識別子に対応する第１ユーザ情報を登録手段から抽出する情報抽出手段と、
情報抽出手段により抽出された第１ユーザ情報に含まれるメールアドレスに対応する携帯電話機に対し、情報取得手段により取得された第２ユーザ情報を含むメールを送信する第１情報提供手段と
情報取得手段により取得された第２ユーザ情報に含まれるメールアドレスに対応する携帯電話機に対し、情報抽出手段により抽出された第１ユーザ情報を含むメールを送信する第２情報提供手段とを備えていることを特徴とする情報管理システム。
【発明の詳細な説明】
【０００１】
【発明の属する技術分野】
本発明は、ネットワークを介したメールの送信及び受信機能を有する携帯電話機の複数のユーザに関する情報を管理するシステムに関する。
【０００２】
【従来の技術】
インターネットを介したメールの送受信機能を備えた携帯電話機の普及により、携帯電話機のユーザの間でメールアドレス及び電話番号を交換する場面が多く見られる。
【０００３】
メールアドレス等を交換するため、次のようなトリガツールが知られている。まず、ユーザはトリガツールを購入する際、自分のメールアドレスと電話番号とを販売店において提出する。これを受けてオペレータによってトリガツールにユーザのメールアドレス等が反映されたプログラムが組み込まれる。この上で、他のユーザの携帯電話機にこのトリガツールが接続されると、トリガツール内のプログラムによって当該他のユーザの携帯電話機に一のユーザのメールアドレス等が登録される。また、トリガツールが接続された携帯電話機からそのメールアドレス及び電話番号が自動的に読み込まれ、このメールアドレス等を含むメールが当該一の携帯電話機に自動的に送信される。
【０００４】
これにより、両ユーザは各自の携帯電話機のメールアドレス及び電話番号を簡易に交換することができる。
【０００５】
【発明が解決しようとする課題】
しかし、このトリガツールには購入ユーザの携帯電話機のメールアドレス等が反映されたプログラムが組み込まれる分、オペレータの人件費や、当該プログラムに応じた演算処理が可能なＣＰＵやメモリ等の搭載によりトリガツールがコスト高となっている。これでは、携帯電話機の大きな利用者層である中高生等の若年層にとってはトリガツールが高価なものとなり、メールアドレス等を交換するシステムの普及が図りえない。
【０００６】
そこで、本発明は、トリガツールを低廉なものとしながらも、ユーザのメールアドレス等の情報の交換の便宜等を図り得る情報管理システムを提供することを解決課題とする。
【０００７】
【課題を解決するための手段】
前記課題を解決するための本発明の情報管理システムは、接続先の携帯電話機に対して該携帯電話機の記憶装置から少なくともメールアドレス、又はメールアドレス及び電話番号を含むユーザ情報を自動的に読み取った上で、固有の識別子とともに該ユーザ情報を外部に自動送信する機能を付与するトリガツールが接続された携帯電話機から、該トリガツールの識別子と、該携帯電話機のユーザ情報とをネットワークを介して取得する情報取得手段と、情報取得手段により取得された識別子に対応するユーザ情報が未登録の場合、該識別子とともに情報取得手段により取得されたユーザ情報を第１ユーザ情報として登録し、登録済みの場合、該識別子とともに情報取得手段により取得されたユーザ情報を第２ユーザ情報として登録を拒絶する登録手段と、情報取得手段により第２ユーザ情報が取得された場合、第２ユーザ情報とともに情報取得手段により取得された識別子に対応する第１ユーザ情報を登録手段から抽出する情報抽出手段と、情報抽出手段により抽出された第１ユーザ情報に含まれるメールアドレスに対応する携帯電話機に対し、情報取得手段により取得された第２ユーザ情報を含むメールを送信する第１情報提供手段と情報取得手段により取得された第２ユーザ情報に含まれるメールアドレスに対応する携帯電話機に対し、情報抽出手段により抽出された第１ユーザ情報を含むメールを送信する第２情報提供手段とを備えていることを特徴とする。
【０００８】
本発明によれば、トリガツールにはその購入ユーザのメールアドレス等が入力される必要がないので、オペレータの人件費等が節約できる。また、ユーザのメールアドレス等の入力、記憶等が省略される分だけトリガツールに搭載されるＣＰＵやメモリも簡易なものを利用することができる。従って、トリガツールを従来よりも低廉にすることができる。
【０００９】
また、第２ユーザの携帯電話機に、第１ユーザのトリガツールが接続されるだけで、第１及び第２ユーザが各自の携帯電話機を通じ、少なくともメールアドレス、又はメールアドレス及び電話番号を含むユーザ情報を簡易に交換することができる。
【００１０】
従って、本発明によれば、トリガツールを低廉なものとしながらも、ユーザのメールアドレス等の情報の交換の便宜等を図ることができる。
【００１１】
【発明の実施の形態】
本発明の情報管理システム及びプログラムの実施形態について図面を用いて説明する。図１は本実施形態の情報管理システムの構成説明図であり、図２は本実施形態の情報管理システムの機能説明図である。
【００１２】
図１に示す情報管理システムは、複数のユーザの携帯電話機２０とネットワークを介して通信可能に接続されたサーバ１０により構成されている。また、情報管理システムは、情報取得手段１１と、識別手段１２と、登録手段１３と、情報抽出手段１４と、第１情報提供手段１５と、第２情報提供手段１６とを備えている。
【００１３】
情報取得手段１１はトリガツール３０が接続された携帯電話機２０から、このトリガツール３０に固有のシリアル番号等の「識別子」と、この携帯電話機２０のメールアドレス及び電話番号を含む「ユーザ情報」とをネットワークを介して取得する。
【００１４】
「トリガツール」は接続先の携帯電話機２０に対し、携帯電話機２０のメモリ（記憶装置）から「ユーザ情報」を自動的に読み取った上で、固有の「識別子」とともに外部に自動送信する機能を付与する。
【００１５】
識別手段１２は情報取得手段１１により取得された識別子に対応するユーザ情報が登録手段１３により未登録の場合、この識別子とともに情報取得手段１１により取得されたユーザ情報を「第１ユーザ情報」であると識別する。一方、識別手段１２は情報取得手段１１により取得された識別子に対応するユーザ情報が登録手段１３により登録済みの場合、この識別子とともに情報取得手段１１により取得されたユーザ情報を「第２ユーザ情報」であると識別する。
【００１６】
登録手段１３はＲＡＭ、ＲＯＭ等より構成され、情報取得手段１１により取得された識別子と、第１ユーザ情報とを対応付けて登録し、第２ユーザ情報の登録を拒絶する。
【００１７】
情報抽出手段１４は、情報取得手段１１によりトリガツール３０が接続された携帯電話機２２から、当該トリガツール３０の識別子と、第２ユーザ情報とが取得されたとき、当該識別子に対応する第１ユーザ情報を登録手段１３から抽出する。
【００１８】
第１情報提供手段１５は情報抽出手段１４により抽出された第１ユーザ情報に含まれるメールアドレスに対応する携帯電話機２０に対し、情報取得手段１１により取得された第２ユーザ情報を含むメールを送信する。
【００１９】
第２情報提供手段１６は情報取得手段１１により取得された第２ユーザ情報に含まれるメールアドレスに対応する携帯電話機２０に対し、情報抽出手段１４により抽出された第１ユーザ情報を含むメールを送信する。
【００２０】
前記構成の情報管理システムの機能について図２を用いて説明する。
【００２１】
まず、ユーザＡによりその携帯電話機２０Ａにトリガツール３０が接続されたとき（ｐ１）、携帯電話機２０Ａが「ユーザ情報」及び「識別子」が貼り付けられたメールをサーバ１０に送信する（矢印▲１▼）。このとき、識別手段１２が、このメールに貼り付けられている識別子とともにユーザ情報が登録手段１３により登録されているか否かを判定する（ｓ１）。識別手段１２により識別子に対応するユーザ情報が未登録であると判定された場合、この識別子とともに情報取得手段１１により取得されたユーザＡの情報が「第１ユーザ情報」として登録手段１３によりこの識別子と対応付けられて登録される（ｓ２）。
【００２２】
次に、ユーザＡからユーザＢにトリガツール３０が貸与され（ｐ２）、この上でユーザＢによりトリガツール３０がその携帯電話機２０Ｂに接続されたとき（ｐ３）、携帯電話機２０Ｂが「ユーザ情報」及び「識別子」が貼り付けられたメールをサーバ１０に送信する（矢印▲２▼）。このとき、識別手段１２が、このメールに貼り付けられている識別子とともにユーザ情報が登録手段１３により登録されているか否かを判定する（ｓ３）。
【００２３】
この場合、当該識別子に対応するユーザ情報、即ち第１ユーザ情報（ユーザＡの情報）が登録手段１３により登録済みなので（ｓ２参照）、識別手段１２により当該識別子とともに情報取得手段１１により取得されたユーザＢの情報が「第２ユーザ情報」であると判断される。このとき、登録手段１３は第２ユーザ情報の登録を拒絶する。また、情報抽出手段１４がこの識別子に対応する第１ユーザ情報を登録手段１３から抽出する（ｓ４）。
【００２４】
そして、第１情報提供手段１５が情報抽出手段１４により抽出された第１ユーザ情報に含まれるメールアドレスに対応する携帯電話機２０Ａに対し、情報取得手段１１により取得された第２ユーザ情報を含むメールを送信する（ｓ５、矢印▲３▼）。また、第２情報提供手段１６が情報取得手段１１により取得された第２ユーザ情報に含まれるメールアドレスに対応する携帯電話機２０Ｂに対し、情報抽出手段１４により抽出された第１ユーザ情報を含むメールを送信する（ｓ６、矢印▲４▼）。
【００２５】
本システムによれば、トリガツール３０にはこれを購入したユーザのメールアドレス等が入力される必要がないので、オペレータの人件費等が節約できる。また、ユーザのメールアドレス等の入力、記憶等が省略される分だけトリガツール３０に搭載されるＣＰＵやメモリも簡易なものを利用することができる。従って、トリガツール３０を従来よりも低廉にすることができる。
【００２６】
また、ユーザＢ（第２ユーザ）の携帯電話機２０ＢにユーザＡ（第１ユーザ）のトリガツール３０が接続されるだけで（図２ｐ３参照）、ユーザＡ、Ｂが各自の携帯電話機２０Ａ、２０Ｂを通じて「メールアドレス」及び「電話番号」を含むユーザ情報を簡易に交換することができる（図２矢印▲３▼▲４▼参照）。
【００２７】
従って、本発明によれば、トリガツール３０を低廉なものとしながらも、ユーザのメールアドレス等の情報の交換の便宜等を図ることができる。
【図面の簡単な説明】
【図１】本実施形態の情報管理システムの構成説明図
【図２】本実施形態の情報管理システムの機能説明図
【符号の説明】
１１‥情報取得手段、１２‥識別手段、１３‥登録手段、１４‥情報抽出手段、１５‥第１情報提供手段、１６‥第２情報提供手段、２０‥携帯電話機、３０‥トリガツール
【図１】
2004005154.tif 000003
【図２】
2004005154.tif 000004